(57)【特許請求の範囲】
【請求項１】
ロータンク内に洗浄水を給水し得るとともに、便器本体側へ補給水を供給し得る補給水管が分岐状に設けられ、前記便器本体側へ流す補給水量を調節可能に構成されているボールタップにおいて、前記補給水管の入口側に、水路を有するニップルを設け、該ニップルを調節リングの回動操作によりボールタップ本体側へ押し付けて水路を開閉し得るように構成して、補給水管の入口側で補給水量を調節できることを特徴とする補給水量調節機構付きボールタップ。
【発明の詳細な説明】
【０００１】
【産業上の利用分野】
この発明は、ロータンク内に設けられる補給水量調節機構付きのボールタップに関するものである。
【０００２】
【従来の技術及びその課題】
従来、サイホン式の便器では便器本体へ補給水を供給する必要があるため、ロータンク内には便器本体側へ補給水を供給し得る補給水管を備えたボールタップが設けられており、また一方、洗い落とし式便器等においては、便器本体側へ補給水を供給する必要がないため、補給水管の存在しないボールタップが設けられていた。
このように従来では、サイホン式の便器と洗い落とし式便器等では、ボールタップに補給水管があるものと無いものを区別して使い分けており、そのため、ボールタップは、補給水管のあるものと無いものの２種類を在庫させて用意しておく必要があり、品番数が多くなり、製造コストが増大してしまうという問題点があった。
【０００３】
【課題を解決するための手段】
本発明は上記従来の問題点に鑑み案出したものであって、１種類のボールタップで、サイホン式便器にも、また洗い落とし式便器にも用いることができて、品番を削減できる補給水量調節機構付きボールタップを提供せんことを目的とし、その要旨は、ロータンク内に洗浄水を給水し得るとともに、便器本体側へ補給水を供給し得る補給水管が分岐状に設けられ、前記便器本体側へ流す補給水量を調節可能に構成されているボールタップにおいて、前記補給水管の入口側に、水路を有するニップルを設け、該ニップルを調節リングの回動操作によりボールタップ本体側へ押し付けて水路を開閉し得るように構成して、補給水管の入口側で補給水量を調節できることである。
【０００４】
【実施例】
以下、本発明の実施例を図面に基づいて説明する。
図１は、ロータンクの内部構造図であり、ロータンク１の本体部２上には、水栓４を備えた手洗器３が載置されており、本体部２の底側には、排水口を構成する排水口金具５が取り付けられて、この排水口金具５上には、上下動可能に球弁６が載置されて、この球弁６は、操作レバー７が操作されることにより鎖を介して引き上げられて浮上し、この時に、本体部２内に溜められている洗浄水が排水口金具５から便器本体側へ供給されるように構成されている。
また、この排水口金具５から上方に向かってオーバーフロー管８が立設されており、このオーバーフロー管８は排水口金具５を介して便器本体側に連通されたものである。
また、本体部２内の上部部位にはボールタップ９が取り付けられており、ボールタップ９のアーム固定キャップ１０には、アーム１１を介してフロート１２が連結され、このフロート１２が、本体部２内に溜められる洗浄水の水位の上昇により上昇して、アーム１１を介しボールタップ９を閉じるように構成されている。
【０００５】
図２は、ボールタップ９のアーム固定キャップ１０周辺の拡大断面構成図であり、アーム固定キャップ１０には、分岐状に外方へ突出して接続突管１４が設けられており、この接続突管１４にニップル１５及び調節リング１６を介して補給水管１３が接続され、補給水管１３の先端は前記オーバーフロー管８の上端側に接続されたものとなっている。
【０００６】
さらに図３においては、前記ニップル１５周辺の断面拡大図を示し、図４では、アーム固定キャップ１０の拡大斜視図を示し、さらに図５においては、このニップル１５と調節リング１６の分解斜視図を示す。
【０００７】
図４において、前記アーム固定キャップ１０には、前記アーム１１を回動可能に取り付けるアーム取付孔１０ｂ，１０ｂが形成されており、その中央部にはピストンが挿入されるピストン孔１０ａが形成されて、ピストンは前記アーム１１と連動し、ボールタップの弁を開閉する。それに伴い、水栓４から手洗器３内に吐出された洗浄水が、下方の本体部２内へ流下して溜められるように構成されている。また、このアーム固定キャップ１０から分岐状に突出された接続突管１４の先端側の外周には、凹み状に爪係合溝１４ａが形成されている。
【０００８】
また、図５に示すように、接続突管１４内には、水路１４ｂが形成され、また、キー溝１４ｃが形成されたものとなっている。
前記ニップル１５の先端には、突出状にキー突起１５ｃが形成されており、このキー突起１５ｃが前記接続突管１４のキー溝１４ｃ内に嵌まり込んで、ニップル１５が接続突管１４に回り止めされた状態で取り付けられるように構成されており、ニップル１５の先端側外周には、Ｏリング１７を嵌め込むＯリング溝１５ｂが形成され、その上方には、外周に雄ネジを形成したネジ部１５ａが形成されており、ネジ部１５ａの上端側はネジ端面１５ｄとなって、さらにその上方には、突出する鍔部１５ｅが形成され、さらにその上端側には、筍状に形成した挿着筍部１５ｆが一体形成されたものとなっており、ニップル１５内には、長手方向に貫通して水路１５ｇが形成されている。図３の断面図で示すように、ニップル１５が、キー溝１４ｃ内にキー突起１５ｃを嵌め込ませて取り付けられた時に、このニップル１５の水路１５ｇと前記接続突管１４の水路１４ｂが偏心した位置となるように、各水路１４ｂ，１５ｇの位置が設定されている。
【０００９】
ニップル１５の前記ネジ部１５ａに螺合する雌ネジを内周に形成した調節リング１６は、下端に例えば４本の突出した脚部１６ｂ，１６ｂ，１６ｂ，１６ｂを備えており、各脚部１６ｂの先端には、内側へ突出して係合爪１６ｃが一体形成されたものとなっており、この調節リング１６をニップル１５のネジ部１５ａに螺合させた状態で、各係合爪１６ｃを、図３に示すように、前記接続突管１４の爪係合溝１４ａ内に係合させて嵌め込むことができるように構成されており、この状態では、調節リング１６の上端の内鍔部１６ａがニップル１５のネジ端面１５ｄに当接状となる。
【００１０】
また、図３に示すように、ニップル１５の挿着筍部１５ｆには、外側より補給水管１３の先端が嵌め込まれるが、補給水管１３の先端は挿着筍部１５ｆに被さった状態で、その先端が鍔部１５ｅに当接状となる。
この図３の取付状態においては、調節リング１６を手で回動操作すると、調節リング１６の回動に伴って、ネジ部１５ａを介し、ニップル１５が接続突管１４の方向へ移動することとなり、調節リング１６を締め付けた状態では、ニップル１５の左端部が接続突管１４の水路１４ｂに押し付けられて、水路１４ｂを閉ざすこととなり、この状態では補給水管１３側へは補給水が流れることがない。
【００１１】
逆に、調節リング１６を反対側へ回動操作して弛めると、ニップル１５は接続突管１４から離れる方向へ移動し、水路１４ｂが開かれ、接続突管１４の端面とニップル１５の端面との間に隙間１８が形成されて、この隙間１８内に水路１４ｂから水が流れ込み、流れ込んだ水は、偏心状のニップル１５の水路１５ｇ内に流れ込んで、補給水管１３へ流されることとなる。従って、調節リング１６を回動させて隙間１８を調節することにより、補給水管１３側へ流れる補給水量を適宜調節することができるものである。
補給水管１３へ流された補給水は、前記オーバーフロー管８を通って排水口金具５から便器本体側へ流されて、便器本体の便鉢上部に水封水面を形成する。
【００１２】
次に、図６は、ニップル１５の形状を変更させたものであり、また図７は、図６におけるニップルの縦孔１５ｈの断面図である。
図６及び図７において、ニップル１５内には、中心に沿って水路１５ｇが形成され、水路１５ｇの左端側には、水路１５ｇと直交状に外周側へ貫通する縦孔１５ｈが形成されており、この縦孔１５ｈは、外周のネジ部１５ａ側において凹んだ外周溝１５ｊと連通されており、外周溝１５ｊは、接続突管１４側に形成される隙間１８に連通されたものである。
【００１３】
その他、図３と異なる点は、接続突管１４の先端側にＯリング１９が嵌め込まれて、このＯリング１９の外側に調節リング１６が配置されるものであり、さらに接続突管１４のＯリング１９の図示左側には、外周に突出して係合鍔１４ｄが形成され、この係合鍔１４ｄに対し、調節リング１６の係合爪１６ｃが係合できるように構成されている。
また、接続突管１４ｂの中心線に沿って水路１４ｂが形成されている。即ち、図６では、水路１４ｂ及び水路１５ｇは中心線に沿って形成されたものであるため、図３の場合よりも水路１４ｂ，１５ｇの径を太く形成することができるものとなる。その他の構成は前記図３の構成とほぼ同様なものである。
【００１４】
この図６及び図７に示す構造では、調節リング１６を回動操作することによりニップル１５を移動させて、隙間１８の間隔を適宜調節することができ、調節リング１６を締め付けてニップル１５を押し付けることにより隙間１８がゼロとなり、その時には水路１４ｂが閉ざされることとなり、逆方向に調節リング１６を回した時には、隙間１８内に水路１４ｂから水が流入し、流入した水はニップル１５の外周溝１５ｊを通り縦孔１５ｈに入り、この縦孔１５ｈを介し水路１５ｇに流れ込んで、補給水管１３へ補給水が供給されるものであり、調節リング１６の回動操作により、この補給水管１３へ流れる補給水量を適宜調節できるものである。
このように図３及び図６の何れかの構造を採用して、補給水管１３の入口側で調節リング１６を回動操作して補給水量を適宜調節することができるものである。
【００１５】
次に、図８は第２実施例を示すものであり、この第２実施例では、補給水管１３の出口側、即ち補給水管１３とオーバーフロー管８の接続部位において、補給水量を調節可能に構成したものである。
即ち、図８において、オーバーフロー管８の上端にはソケット２０が接続され、このソケット２０内に、回動可能に内管２２が嵌め込まれるものであり、このソケット２０及び内管２２は図９の分解斜視図で示すような構造となっており、ソケット２０には、斜め方向に突出して接続突管２１が形成されており、この接続突管２１の先端に、補給水管１３の出口側を接続することができるように構成されており、接続突管２１内には水路２１ａが形成され、ソケット２０の壁面には、この水路２１ａと連通状に開口する水路孔２０ａが形成されたものとなっている。
【００１６】
一方、ソケット２０の内周に嵌まり込む外径寸法に形成された内管２２の外周には、三角形状の三角窓２２ａが形成されており、また、内管２２の上端には、手で回すことのできるノブ２２ｂが一体形成されたものとなっている。
内管２２をソケット２０内に嵌め込んだ状態で、ノブ２２ｂの外側に手を掛けて内管２２を適宜回すことにより、内管２２に形成された三角窓２２ａが、ソケット２０の水路孔２０ａに対して回動し、この水路孔２０ａと三角窓２２ａの整合する面積により水量が制御されることとなり、水路孔２０ａから離れた位置に三角窓２２ａを回動させれば、補給水をここで止めることができるものであり、逆に、水路孔２０ａに対し三角窓２２ａの最も広い部分を整合させると、大水量の補給水がオーバーフロー管８内へ流れ込んで便器本体側へ供給されることとなる。
【００１７】
このように図８及び図９に示す第２実施例では、補給水管１３の出口側で補給水量を適宜調節することができるものとなる。なお、この図８及び図９の構造を採用する場合には、前記図３または図６の構造は不要であり、補給水管１３の入口側または出口側の何れか側で補給水量を調節できるようにしておけば良い。なお、入口側及び出口側両方で調節できるような構造を採用しておくことも可能である。
【００１８】
このようにボールタップ９に分岐状に補給水管１３を設けて、補給水管１３へ流れ込む補給水量を、入口側または出口側で調節可能な構造としておけば、１種類のボールタップ９で、サイホン式便器にも、洗い落とし式便器等にも用いることができ、洗い落とし式便器等に設置する場合には、前記調節リング１６を締め付け、補給水管１３側へは補給水が流れ込まないようにして用いることができるものであり、ボールタップ９は１種類のものを用意すれば良く、品番を削減して、コストを低減させることができるものとなる。
【００１９】
なお、洗い落とし式便器等においても、現場においては、配管内のサイホン現象で便器の水封切れが生ずることがあるが、従来では補給水を供給することができなかったために水封切れの対策が不可能であったのが、本例のようなボールタップを用いることにより、現場でこのような水封切れが生じた場合にも、調節リング１６を回して補給水管１３へ補給水を供給し、現場での水封切れに対処することが可能となる。
また、調節リング１６を適宜調節して、補給水管１３へは必要な量の補給水のみを供給できるため、余分な補給水を流すこともなくなり、節水効果を得られることとなる。
【００２０】
【発明の効果】
本発明は、ロータンク内に洗浄水を給水し得るとともに、便器本体側へ補給水を供給し得る補給水管が分岐状に設けられ、前記便器本体側へ流す補給水量を調節可能に構成されているボールタップにおいて、前記補給水管の入口側に、水路を有するニップルを設け、該ニップルを調節リングの回動操作によりボールタップ本体側へ押し付けて水路を開閉し得るように構成して、補給水管の入口側で補給水量を調節できることにより、サイホン式便器の場合にも、また洗い落とし式便器等の場合にも、１種類のボールタップで対応させることができ、従来のように２種類のボールタップを用意しておく必要がなく、ボールタップの品番が減少してコストを低減させることができるものとなる。
また、調節リングを回動操作して、ボールタップ本体とニップルとの隙間を調節し、補給水量を調節することができ、また、調節リングを締め付けてニップルをボールタップ本体側へ押し付け、止水することができるものとなり、入口側で補給水管内へ流れ込む補給水量を容易に調節することができる。
【図面の簡単な説明】
【図１】ロータンクの内部構造図である。
【図２】ボールタップのアーム固定キャップの拡大断面構成図である。
【図３】図２における接続突管の部分の拡大断面構成図である。
【図４】アーム固定キャップの斜視構成図である。
【図５】図３の構成部材の分解斜視図である。
【図６】図３の変更例を示す断面拡大構成図である。
【図７】図６のニップルの断面構成図である。
【図８】第２実施例を示す補給水管とオーバーフロー管の接続部位の断面構成図である。
【図９】図８におけるソケットと内管の分解斜視図である。
【符号の説明】
１  ロータンク
２  本体部
３  手洗器
５  排水口金具
６  球弁
７  操作レバー
８  オーバーフロー管
９  ボールタップ
１０  アーム固定キャップ
１１  アーム
１２  フロート
１３  補給水管
１４  接続突管
１４ａ  爪係合溝
１４ｂ  水路
１４ｃ  キー溝
１５  ニップル
１５ａ  ネジ部
１５ｂ  Ｏリング溝
１５ｃ  キー突起
１５ｄ  ネジ端面
１５ｅ  鍔部
１５ｆ  挿着筍部
１５ｇ  水路
１５ｈ  縦溝
１５Ｊ  外周溝
１６  調節リング
１６ａ  内鍔部
１６ｂ  脚部
１６ｃ  係合爪
２０  ソケット
２０ａ  水路孔
２１  接続突管
２１ａ  水路
２２  内管
２２ａ  三角窓
２２ｂ  ノブ
【図１】
0003627170.tif 000002
【図２】
0003627170.tif 000003
【図３】
0003627170.tif 000004
【図４】
0003627170.tif 000005
【図５】
0003627170.tif 000006
【図６】
0003627170.tif 000007
【図７】
0003627170.tif 000008
【図８】
0003627170.tif 000009
【図９】
0003627170.tif 000010